Podtech/llm-jp-corpus-v4-ja_patent huggingface dataset:
(57)【要約】      （修正有）【課題】自分が発声した音声を自分だけで聞き取り、その音声を心理効果を含めた難聴を回復する自声式難聴リハビリの提供。【解決手段】プラスチック製のジョウゴ型メガホン１とイヤ−ホン２を中空管３で連結して、メガホン１の発生口４から発した音声は、メガホン１の送音口５に接続した中空管３を通ってイヤ−ホン２に至り、この２を耳穴に挿入して自分の声を聞き取る仕組みとする。【選択図】図１
0003112684.tif 000002
【実用新案登録請求の範囲】
【請求項１】
口と顎の部分が密着可能なように、一部を切り欠いた発声口を有するジョウゴ型メガホンと、耳穴に挿入可能なイヤ−ホンを、柔軟な中空管で前記メガホンの送音口とを連結し、メガホンとイヤ−ホンを両手で保持して、自分の音声を自分で聞き取る仕組みにした、自声式難聴リハビリ器。
【考案の詳細な説明】
【技術分野】
【０００１】  本考案は自分が発声した音声を自分だけで聞き取り、その音声を心理効果を含めた難聴を回復するための、リハビリに関するものである。
【背景技術】
【０００２】  耳鼻科医院では難聴治療で、電気器具による断続的な音響で、聴覚の覚醒治療がなされている。
【考案の開示】
【考案が解決しようとする課題】
【０００３】  前記の０００２の通院治療では、通院や医院での加療費用、それに貴重な時間を浪費するので、断続的な音響で難聴の回復に効果があるのならば、自宅で自分のリズミカルな音声で、難聴の回復を図りたい。
【課題を解決するための手段】
【０００４】  口と顎の部分が密着可能なように、一部を切り欠いた発声口を有するジョウゴ型メガホンと、耳穴に挿入可能なイヤ−ホンを、柔軟な中空管で前記メガホンの送音口とを連結し、メガホンとイヤ−ホンを両手で保持して、自分の音声を自分で聞き取る仕組みにした、自声式難聴リハビリ器で難聴を回復する。
【考案の効果】
【０００５】  本考案は難聴の聴覚を覚醒する他に、老人施設の福祉用具としても使用可能で、老人は自分に語りかけて孤独感から解放される。また、片方の耳でテ−プの演奏を聞きながら、カラオケの練習を楽しむなど、沈滞していた気力に精気を喚起して、心機一転、リハビリの効果も期待できる。
【考案の実施するための最良の形態】
【０００６】  ジョウゴ型メガホンは、プラスチック製のコップの底部を、ジョウゴ型にしたもので、メガホンはコップの開口部を口と顎の部分が密着するように、一部を切り取って音声吹き込み口とする。底部のジョウゴの管部分はイヤ−ホンへの送音口として、中空管の内径に挿入可能な構造とする。中空管はビニ−ル製で長さは５００ミリとする。イヤ−ホンはビニ−ル製で、本考案に好都合なＫＫニチフ端子工業の製番ＴＩＣ−１４が市販されているのを使用する。
【実施例】
【０００７】  図１について説明する。プラスチック製のジョウゴ型メガホン１とイヤ−ホン２を中空管３で連結して、メガホン１の発生口４から発した音声は、メガホン１の送音口５に接続した中空管３を通ってイヤ−ホン２に至り、この２を耳穴に挿入して自分の声を聞き取る仕組みとする。
【図面の簡単な説明】
【０００８】
【図１】  本考案の仕組みの図である。
【符号の説明】
【０００９】  １  ジョウゴ型メガホン
２  イヤ−ホン
３  中空管
４  メガホン１の発生口
５  メガホン１の送音口
【図１】
0003112684.tif 000003
(57)【要約】      （修正有）【課題】ペットボトルのキャップの上に、ワンタッチで設置できる、デジタルカメラ取り付け用キャップスタンドを提供する。【解決手段】ペットボトルのキャップの上に設置する、デジタルカメラ取り付け用キャップ形スタンドとデジタルカメラを取り付けるネジ部を一体化して、金属部品をなくしたことにより、キャップ形スタンドのネジ部にデジタルカメラを簡単に取り付けられるようにしたことである。又、従来の三脚に比べてコンパクトで、軽く、小さいために、ハンドバッグやポケットに入れて持ち運びが簡単で邪魔にならない。【選択図】図１
0003112690.tif 000002
【実用新案登録請求の範囲】
【請求項１】
ペットボトルのキャップの上に、ワンタッチで設置できるデジタルカメラ取り付け用キャップ形スタンドで、キャップ形スタンドとデジタルカメラを取り付けるネジ部を一体化して、簡単にデジタルカメラを取り付けできる構造にしたデジタルカメラ取り付け用キャップ形スタンドである。
【考案の詳細な説明】
【技術分野】
【０００１】本考案は、ペットボトルのキャップの上に、ワンタッチで設置できる、デジタルカメラ取り付け用キャップ形スタンドで、デジタルカメラを取り付けるときに、金属部品等の金具を必要とせず、ペットボトルのキャップにかぶさる部分とデジタルカメラを取り付けるネジの部分が一体で形成されているため、非常に簡単な部品となっている。
従来のカメラ用三脚に比べて、コンパクトで、軽く、小さい為に、ハンドバックやポケットに入れて持ち運びが簡単で邪魔にならない。
［背景技術］【０００２】従来のデジタルカメラ取り付け用スタンドは、三脚やペットボトル用キャップ形のものでは、ネジ部に金属製のネジを使用して、デジタルカメラを取り付けている。
この為、デジタルカメラにネジを取り付けるのが非常に不便である。【０００３】本考案では、ペットボトルのキャップの上に、キャップ形スタンドをワンタッチで設置して、キャップ形スタンドのネジ部にデジタルカメラを取り付けるだけで、簡単にデジタルカメラを取り付けできる。
又、コンパクトで、軽く、小さい為に、ハンドバックやポケットに入れて持ち運びが簡単で邪魔にならない。【０００４】使用しなくなったとき、簡単にデジタルカメラを取り外すことができる構造となっている。又、着脱のとき、工具類を必要としないことが特徴である。
［考案の開示］
［考案が解決しようとする課題］【０００５】解決しようとする問題点は、従来の、三脚やペットボトル用キャップ形のものでは、金属製のネジを使用して、デジタルカメラを取り付けるため、取り付け作業が非常にめんどうである。
［課題を解決するための手段］【０００６】本考案は、ペットボトルのキャップの上に設置するキャップ形スタンドとデジタルカメラを取り付けるネジ部を一体化して、金属部品をなくしたことにより、キャップ形スタンドのネジ部にデジタルカメラを簡単に取り付けられる構造にしたことである。
［作用］【０００７】本考案の、デジタルカメラ取り付け用キャップは、デジタルカメラ取り付け用のネジ部の金属部品をなくして、ペットボトルの上に設置するキャップ形スタンドとデジタルカメラを取り付けるネジ部を一体化して、デジタルカメラをキャップ形スタンドのネジ部に簡単に、取り付けられるようにしたことである。。
又、極めて低コストであるため経済的な負担が少ない。
従来の三脚に比べて、コンパクトで、軽く、小さい為、ハンドバックやポケットに入れて持ち運びが簡単で邪魔にならない。
［考案を実施するための最良の形態］【０００８】本考案の，デジタルカメラ取り付け用キャップは、ペットボトルの上に設置するキャップ形スタンドとデジタルカメラを取り付けるネジ部を一体化して、金属部品を使用しないことである。
［実施例］【０００９】本考案の実施例を図面に基ずいて説明する。
図１はデジタルカメラ取り付け用キャップの構造を示す図である。【００１０】ここで、図１について詳細に説明する。
図１はペットボトルの上に設置するデジタルカメラ取り付け用キャップの構造を示す図である。
デジタルカメラ取り付け用キャップ１の材質は軟質プラスチック・ゴム等で製作されている。
ネジ部２はＭ６のカメラ用ネジになっている。【００１１】図２はペットボトルの上にデジタルカメラ取り付け用キャップ形スタンドを設置して、デジタルカメラを取り付けた状態を示す図である。
［考案の効果］【００１２】以上のように構成された本考案のデジタルカメラ取り付け用キャップ形スタンドは、ペットボトルの上に設置したキャップ形スタンドのネジ部に、デジタルカメラを簡単に取り付けられるようにした効果は大きい。
又、従来の三脚に比較してコンパクトで、軽く、小さい為に、ハンドバックやポケットに入れて持ち運びが簡単で邪魔にならない効果も大きい。
【図面の簡単な説明】
【００１３】［図１］
本実施例のデジタルカメラ取り付け用キャップの構造を示す図である。
［図２］
本実施例のペットボトルの上にデジタルカメラ取り付け用キャップ形スタンドを設置して、デジタルカメラを取り付けた状態を示す図である。
【符号の説明】
【００１４】１．デジタルカメラ取り付け用キャップ形スタンド
２．ネジ部
３．ペットボトル
４、デジタルカメラ
【図１】
0003112690.tif 000003
【図２】
0003112690.tif 000004
(57)【要約】      （修正有）【課題】使用者の重労働的負担を解消させ、水槽内の飲水の水質維持と、冬期の凍害防止、給水を自動制御し経済的負担を解消させる。【解決手段】家畜用飲水槽に貯水されている水と沈殿した餌、飼料、ゴミ等を、掃除口蓋７を開き一括で排出させ、流動的に配設した給水層から貯水槽に設けられた流入口４を通って自動給水される水により上板２と貯蓄溝６を綺麗に掃除し、掃除口蓋で止水させ飲水を水槽に貯水する。【選択図】図１
0003112680.tif 000002
【実用新案登録請求の範囲】
【請求項１】
フロート弁により一定の水位を確保する給水槽と貯水槽とからなる家畜用飲水槽であり、前記給水槽と前記貯水槽を流路的に接続し、該貯水槽は一つの側面から対向側面に向けて傾斜する傾斜床面を形成し、該床の最下位辺の辺部に沿って溝を設け該溝の一旦側に排水口を設けてなる家畜用自動給水槽。
【考案の詳細な説明】
【技術分野】
【０００１】  本考案は、家畜用飲水槽に関するものである。
【背景技術】
【０００２】  現在、家畜施設内において水槽は直接家畜の口に接するものであり、常に衛生的な環境を維持しなければならない。特に水槽に関しては、寒暖の差が著しく激しい地域では冬期は凍害、夏期は餌や飼料が水槽底に溜まり、やがては腐敗し細菌発生を促す恐れがあり不衛生な飲水を飲むことは乳量にも著しく影響を与え、家畜の健康状態にも影響を与える。また、水槽の清掃作業は使用者の労働的負担が大きい。
【考案の開示】
【考案が解決しようとする課題】
【０００３】  家畜施設内において歯槽及び水槽は直接家畜の口に接するものであり、家畜において、飲み水は必要不可欠な栄養素であるので、常に衛生的な環境を維持しなければならない。清掃を簡易化することにより頻繁に飲水の入れ替えを行うことが出来、常に衛生的で新鮮な水質維持状態を保てる。それにより細菌発生増殖を防ぎ、常に衛生的な水質を維持することで、乳量にも多くの影響を及ぼす。また、電熱線を設けることにより常に一定の水温で凍害を防げ、極寒時を問わず家畜に飲水させることが出来る。水槽内上板及び貯蓄溝に一定の勾配を設け掃除口蓋を開くだけで飲水の入替えが容易に行える。それにより、使用者の重労働的負担を減少させ、作業時間短縮と作業手間の省略化を促すことの出来る自動給水層を提供すること。
【課題を解決するための手段】
【０００４】  家畜用飲水槽に貯水されている水と沈殿した餌、飼料、ゴミ等を、掃除口蓋を開き一括で排出させ、流動的に配設した給水層から貯水槽に設けられた流入口を通って自動給水される水により上板と貯蓄溝を綺麗に掃除し、掃除口蓋で止水させ飲水を水槽に貯水する。
具体的にはフロート弁により一定の水位を確保する給水槽と貯水槽とからなる家畜用飲水槽であり、前記給水槽と前記貯水槽を流路的に接続し、該貯水槽は一つの側面から対向側面に向けて傾斜する傾斜床面を形成し、該床の最下位辺の辺部に沿って溝を設け該溝の一旦側に排水口を設けてなる家畜用自動給水槽とするものである。
【考案の効果】
【０００５】  汚水や汚物を一括にて排出が出来、細菌増殖の防止及び使用者の労働時間の短縮、水槽掃除の重労働的負担の解消、水槽内の飲水の水質維持、家畜の乳質維持。また、電熱線を設けることで冬期間の凍害防止と一定の水温の確保が出来る。給水槽側にはフロート弁を設けることで水位を一定の位置で抑えることが出来、経済的負担も解消される。
【考案を実施するための最良の形状】
【０００６】  貯水槽側は二層構成の上板に一定の勾配と、上板下部に位置する、一定の勾配で設けられ掃除口に連結された貯蓄溝による形状となる。上板と底板の間に電熱線を設けた形状とし、給水槽側はフロート弁により自動で給水、止水の作動が可能。家畜施設内の既存の水道管を利用連結させる場合は給水槽の位置を自在に対応するべく給水槽と貯水槽の連結に拘らない形状とする。
【実施例】
【０００７】  以下、図面に従って一実施例について説明する。図１から図３において、１は塩化ビニール再生プレートを溶着させた水槽側面で、水槽ある。２は貯水槽側で、二層構成の勾配付の上板である。３は給水槽と貯水槽を区切る仕切板である。４は上板勾配に反る形状で設けられた仕切板下部に位置する流入口である。５はフロート弁が正常に作動され、家畜から保護されるように設けられた給水槽蓋である。６は上板下部に位置する一定勾配の設けられた貯蓄溝である。７は貯水を止水させ、餌、飼料、ゴミを排出させる為の掃除口蓋である。８は貯蓄溝に連結され、餌、飼料、ゴミを排出させる為の掃除口である。９は破損防止の為に水槽側面上部三方に設けられたモルタル入り補強ガードである。１０は凍害防止と一定水温確保の為に設けられる電熱線を設置する為の電熱線口である。１１は水槽を固定する為の架台である。１２は底板である。貯水槽側では二槽構成の底板になり、その場合電熱線固定の為の底板である。１３は給水の為の水道管を給水槽に設けられたフロート弁に連結させる為の配管口である。１４は給水、止水自動制御させる為のフローと弁である。【０００８】  ４流入口はフロート弁により制御され給水された水が上板に設けられた勾配により万遍なく流れるように細長の開口部となっているがこの形状意外に床面上に水が万遍なく流れる形状であれば本実施例以外の形状以外でも構わない。【０００９】  図４及び図５は水槽の形態を示したものであり、図４は貯水槽と給水層の一体型のものを示し。図５は、給水層と貯水槽を分離して流路的に接続するものである。
【産業上の利用可能性】
【００１０】  耐久性、強度、加工性等の点から塩化ビニール再生プレートにより給水槽と貯水槽を一体成形することにより、最も低コストで実施しうる。
【図面の簡単な説明】
【００１１】
【図１】本考案の一実施例を示す外観図である。
【図２】給水槽側の一部欠断面図である。
【図３】貯水槽側の一部欠断面図である。
【図４】本考案の一実施例を示す全体欠断面図である。
【図５】本考案の他の実施例における外観図である。
【符号の説明】
【００１２】１    水槽側面
２    上板
３    仕切板
４    流入口
５    給水槽蓋
６    貯蓄溝
７    掃除口蓋
８    掃除口
９    モルタル入り補強ガード
１０  電熱線口
１１  架台
１２  底板
１３  配管口
１４  フロート弁
１５  電熱線
１６  水位
【図１】
0003112680.tif 000003
【図２】
0003112680.tif 000004
【図３】
0003112680.tif 000005
【図４】
0003112680.tif 000006
【図５】
0003112680.tif 000007
(57)【要約】      （修正有）【課題】購入者が自分の好みの携帯電話用ストラップで筆記具を装飾し、個性を発揮し、携帯電話用ストラップが目印となり、筆記具が自分の物であるかどうかを容易に見分ける。【解決手段】筆記具１に携帯電話用ストラップ５の取付部４を設け、携帯電話用ストラップの取付を可能とする。【選択図】図２
0003112672.tif 000002
【実用新案登録請求の範囲】
【請求項１】
フック部に携帯電話用ストラップの取付部を設け、携帯電話用ストラップの取付が可能なことを特徴とする筆記具。
【請求項２】
本体部に携帯電話用ストラップの取付部を設け、携帯電話用ストラップの取付が可能なことを特徴とする筆記具。
【請求項３】
キャップ部に携帯電話用ストラップの取付部を設け、携帯電話用ストラップの取付が可能なことを特徴とする筆記具。
【考案の詳細な説明】
【技術分野】
【０００１】  本考案は筆記具に関するものであり、詳しくは筆記具の装飾に関する。
【背景技術】
【０００２】  これまでの筆記具は、メーカーが装飾して販売している物はあったが、購入者が自身で装飾する筆記具はなかった。
【考案の開示】
【考案が解決しようとする課題】
【０００３】  筆記具は、その購入者が自分で装飾をほどこす構造がないため、購入者が装飾し個性を発揮することができない。【０００４】  そのため、紛失した筆記具を再発見した場合や同一の筆記具が複数個混ざってしまった場合、自分の物であるかどうかを容易に見分けることが出来ない。
【課題を解決するための手段】
【０００５】  筆記具のフック部に携帯電話用ストラップを取り付けるための取付部を設ける。【０００６】  筆記具の本体部に携帯電話用ストラップを取り付けるための取付部を設ける。【０００７】  筆記具のキャップ部に携帯電話用ストラップを取り付けるための取付部を設ける。
【考案の効果】
【０００８】  購入者が自分の好みの携帯電話用ストラップで筆記具を装飾し、個性を発揮できる。【０００９】  携帯電話用ストラップが目印となり、筆記具が自分の物であるかどうかを容易に見分けることができる。【００１０】  筆記具に携帯電話用ストラップでの装飾が可能という付加価値を付与することで、他の同様の筆記具と差別化を図ることができる。
【考案を実施するための最良の形態】
【００１１】  考案の実施の形態について図面を参照して説明する。
図１はフック部（２）に携帯電話用ストラップ取付部（４）を設けたものである。図２は図１の筆記具に携帯電話用ストラップ（５）を取り付けた状態である。
取付部（４）の構造は、携帯電話用ストラップ（５）の取付が可能ならばどのような構造でも良く、取付部（４）の大きさ、形、位置はフック（２）の形状にあわせて自由に変えることが出来る。取付部（４）の数は複数でも良い。【００１２】  図３は本体部（１）に携帯電話用ストラップ取付部（４）を設けたものである。図４は図３の筆記具に携帯電話用ストラップ（５）を取り付けた状態である。
取付部（４）の構造は、携帯電話用ストラップ（５）の取付が可能ならばどのような構造でも良く、取付部（４）の大きさ、形、位置は筆記具本体（１）の形状にあわせて自由に変えることが出来る。取付部（４）の数は複数でも良い。【００１３】  図５はキャップ部（３）に携帯電話用ストラップ取付部（４）を設けたものである。図６は図５の筆記具に携帯電話用ストラップ（５）を取り付けた状態である。取付部（４）の構造は、携帯電話用ストラップ（５）の取付が可能ならばどのような構造でも良く、取付部（４）の大きさ、形、位置はキャップ（３）の形状にあわせて自由に変えることが出来る。取付部（４）の数は複数でも良い。
【図面の簡単な説明】
【図１】  フック部に携帯電話用ストラップ取付部を設けた筆記具の斜視図。
【図２】  図１の筆記具に携帯電話用ストラップを取り付けた状態の斜視図。
【図３】  本体部に携帯電話用ストラップ取付部を設けた筆記具の斜視図。
【図４】  図３の筆記具に携帯電話用ストラップを取り付けた状態の斜視図。
【図５】  キャップ部に携帯電話用ストラップ取付部を設けた筆記具の斜視図。
【図６】  図５の筆記具に携帯電話用ストラップを取り付けた状態の斜視図。
【符号の説明】
１  筆記具本体
２  フック
３  キャップ
４  携帯電話用ストラップ取付部
５  携帯電話用ストラップ
【図１】
0003112672.tif 000003
【図２】
0003112672.tif 000004
【図３】
0003112672.tif 000005
【図４】
0003112672.tif 000006
【図５】
0003112672.tif 000007
【図６】
0003112672.tif 000008
(57)【要約】      （修正有）【課題】従来の空気清浄機は、大型であり携帯することができなかった。しかし、外出時においての煙の問題は多く、その代表的なものが喫煙者による紫煙の問題といえる。喫煙が許された公共の場において隣接者の喫煙は禁煙者にとって健康面、精神面のダメ−ジは多大である。【解決手段】上記課題を効率よく解決するために、軽量・コンパクト設計でポケット等に入れて外出、使用できる携帯紫煙ガ−ド機を考案した。内部には防音小型ファンモ−タ−を設置、先端部分に送風ファンを取りつけ、外側上部に、入切・風量調整スイッチと風向調整ファンを、下部に電源装置を有する。これにより、喫煙者と隣接した場合、携帯紫煙ガ−ド機より送風される微風により喫煙者に気づかれることなく紫煙ガ−ドが簡単にできるようになった。【選択図】図１
0003112677.tif 000002
【実用新案登録請求の範囲】
【請求項１】
本体部分が樹脂成形製造され、上部に入切スイッチ、風量調整スイッチ、風向調整ファンを設け、下部に電源装置を有し、その電源により回転送風するファンを内蔵した携帯紫煙ガ−ド機。
【請求項２】
請求項１の携帯紫煙ガ−ド機であって、ファンより送り出される送風を、抗菌・防臭効果を有するフィルタ−に通し、抗菌・防臭効果を有する携帯空気清浄機。
【請求項３】
上部に設置した風向調整ファンが、Ｘ方向・Ｙ方向二次元に自由に動くことを特長とした請求項１・請求項２の携帯空気清浄機。
【請求項４】
本体部分が樹脂成形製造され、上部に入切スイッチ、風量調整スイッチ、風向調整ファンを設け、下部に電源装置を有し、その電源により空気を吸い込み抗菌・防臭効果を有するフィルタ−を通し排出するバキュ−ム構造を有する携帯空気清浄機。
【考案の詳細な説明】
【技術分野】
【０００１】  本考案は、外出時の紫煙ガ−ドを図った携帯空気清浄機に関する。
【背景技術】
【０００２】  従来の家庭用空気清浄機は、大型であり携帯品の考えは全くなかった。しかし、紫煙の健康、精神面に与えるダメ−ジは外出時の方が遙かに多大といえる。それは喫煙者と隣接する確率が高い点にある。【０００３】  従来の空気清浄機は室内のみを意識したものであったが、外出時間の多い者にとっては、外出時の紫煙ガ−ドも重要といえる。現在の工業技術から考え、空気清浄機を小型化し、携帯することは簡単でありそこに着目した。
【考案の開示】
【考案が解決しようとする課題】
【０００４】  以上に述べた従来の空気清浄機は、大型で携帯することができなかった。そのため喫煙が許されている場所（たとえば、遊戯場、娯楽場、車内）で喫煙された場合、禁煙者にとっては大変な精神的苦痛である。【０００５】  また、近年喫煙者以上に禁煙者に対する紫煙の有害性が発表され大きな問題となった。かといって、喫煙が許されている場所で喫煙者に対し露骨に手を振って紫煙を払ったり、注意することは争いの原因となる。【０００６】  それに加え、座席の決まっている場合は辛抱するしか方法がなく座席を変わることもできなかった。【０００７】  本考案は、このような従来の紫煙に関する問題を解決しようとするものであり、防音小型ファンモ−タ−回転による微風を利用して紫煙排除を実現することを目的とするものである。
【課題を解決するための手段】
【０００８】  そして、本考案は上記目的を達成するために、ポケットティッシュ大の樹脂成形ケ−スの内部に、防音小型ファンモ−タ−と、送風ファンを設置する。【０００９】  電源は、乾電池（単３、単４乾電池使用）又は充電とし、上部分には風向調整ファンを設置、風向を紫煙ガ−ドしたい方向に調整する。【００１０】  風量の強弱は風量調整スイッチ、入切スイッチで電源のＯＮ・ＯＦＦを行なう。
【考案の効果】
【００１１】  上記したように本考案の携帯紫煙ガ−ド機は、軽量・コンパクトサイズであり、外出時ポケットやセカンドバックに入れ携帯することができる。【００１２】  遊戯場、娯楽場、車内等で喫煙者と隣接した場合、ポケット、膝の上、前面テ−ブル等に置き、風量調整スイッチ、風向調整ファンにより風量、風向を調整して使用することで、禁煙者顔面部分から効果的に紫煙を排除することができる。【００１３】  防音小型ファンモ−タ−を使用することで、ファン回転による不快音もなく喫煙者に対しまったく気づかれることなく使用することができる。【００１４】  ファンより発生する微風は、空気中に漂う軽重量の紫煙を効果的に排除でき、微風のため顔面等に直接当っても不快感、違和感はない、神経質な人は風向調整ファンを利用し微風が顔面前部を進過するようにする。【００１５】  送り出される送風を、坑菌・防臭効果のあるフィルタ−を通し排出すれば、空気清浄機の役目も果すこととなる。
【考案を実施するための最良の形態】
【００１６】  以下、本考案の実施の形態を図１〜図５に基づいて説明する。【００１７】  図においては、１は携帯紫煙ガ−ド機本体で、下部には乾電池挿入部２、充電ソケット３を、上部には入切スイッチ４、風量調整スイッチ５、風向調整ファン６を有する。
（図１、図２）【００１８】  内部分には、防音小型ファンモ−タ−と、小型ファンを有し乾電池、家庭内充電エネルギ−を電源として起動する。【００１９】  以下、上記構成の動作を説明する。内部分に設置された防音小型ファンモ−タ−とその上部に取りつけられた小型ファンを、乾電池、家庭内充電エネルギ−を電源として起動、微風を迫り出す。【００２０】  上記装置を携帯紫煙ガ−ド機本体１内部に設置する。防音小型ファンモ−タ−回転数（小型ファン風量）は上部に設置された風量調整スイッチ５により自由に調整ができる。
防音小型ファンモ−タ−の起動は人切スイッチ４にて行なう。【００２１】  小型ファンにて迫り出される微風の方向調整は風向調整ファン６の方向により行ない、顔面前部分に漂よう紫煙を効率よく排除する。
風向調整ファン６はＸ軸方向・Ｙ軸方向の二次元方向に自由に動くものである。これにより顔面に微風が直接当たることもなくなり、不快感を排除できる。【００２２】  上記方法を使用することにより、紫煙の吸引や不快感を感じることもなく、精神面においても苛立ち等がなくなり、安定が獲られる。【００２３】  送風の方法として、送風ファンを使用する他に、バキュ−ムにより空気を吸引、排出する方法も考えられる。【００２４】  送風ファン・バキュ−ム両方法共に送風をする際、抗菌・防臭効果を有するフィルタ−を通すことにより空気清浄機の効果を獲られる。
また、フィルタ−を簡単に取り替えられる構造にすることも必要不可欠である。
【図面の簡単な説明】
【図１】  携帯紫煙ガ−ド機斜指図
【図２】  携帯紫煙ガ−ド機風向調整ファン斜指図
【図３】  風向イメ−ジ正面図
【図４】  風向イメ−ジ側面図
【図５】  フイルタ−部側面図
【図６】  フイルタ−斜指図
【符号の説明】
１    携帯紫煙ガ−ド機本体
２    乾電池挿入部
３    充電ソケット
４    入切スイッチ
５    風量調整スイッチ
６    風向調整ファン
７    風向イメ−ジ
８    タバコ本体
９    紫煙
【図１】
0003112677.tif 000003
【図２】
0003112677.tif 000004
【図３】
0003112677.tif 000005
【図４】
0003112677.tif 000006
(57)【要約】【課題】  非常時に身を護る防災頭巾、防寒具、スリッパを一つに収納して、毎日使う枕として、違和感なく使用できるようにする。【解決手段】  本考案の防災頭巾１は平面的に見て長方形で直交する側面にファスナー６を付けて開閉できるようになっており、他の２側面は閉じている。この防災頭巾１の中には、防寒具２、スリッパ３が収納されて、防災頭布１、防寒具２、スリッパ３は布製で綿が入っているので見た目と使用感が一般的な枕と変わらない為に気持ちよく眠ることができる。【選択図】  図１
0003112678.tif 000002
【実用新案登録請求の範囲】
【請求項１】
防災頭巾の中に防寒具とスリッパを含めた構成とし、防災頭巾の平面視で長方形の直交する両側面にファスナーを取付けたことを特徴とする非常用護身枕
【考案の詳細な説明】
【技術分野】
【０００１】  本考案は、就寝中の大地震発生時に必要な防災頭巾、防寒具、スリッパに暗闇でも、すぐ手が届くようにするために、それらを毎日使う枕として、ひとつにまとめたものである。
【背景技術】
【０００２】  従来は、防災頭巾、防寒具、スリッパの３点でできている枕はなかった。
【考案の開示】
【考案が解決しようとする課題】
【０００３】  防災頭巾となる枕の中に市販されている防寒具、スリッパを入れると、枕としての機能に違和感がある。
【課題を解決するための手段】
【０００４】本考案の防災頭巾１は図１に示すように、平面視で長方形をしており直交する２側面１０，１１にファスナー６が装着しており、他の２側面は閉じられている。ファスナー６のスライダー７をＢ方向に引くことにより開閉できるようになっている。スライダー７をＢ方向に端末９までに引いて全開にして、Ａ方向から見た状態が図３である。防災頭巾１の内部には、防寒具２、スリッパ３が図１及び、図３のように畳まれて収納されている。防災頭巾１は布製で両側面の内部には綿が入れてあり、防災頭巾の長側面１１の内部には、あご紐４−１、４−１’の一方端がそれぞれ固着されている。防寒具２は、布製で図２のような外形をしており、その前端及び、両脇にそれぞれ紐４−２、４−２’，４−３、４−３’の一方端がそれぞれ固着されている。スリッパ３は、布製で内部に綿が入れてあり、足入れ口８にはゴムが挿入されている。防災頭巾１、防寒具２、スリッパ３は肌に接するため、すべて布製であることが望ましいが、好みによりレザー、樹脂シート等で作ることも可能である。【０００５】本考案の使用方法は、通常時は図１のように防寒具２、スリッパ３を収納し、枕として使用する。非常時はこの枕の中から防寒具２を取り出して着用し、防災頭巾１をかぶり、ひも４−１と４−１’、４−２と４−３、４−２’と４−３’を結ぶ。そしてスリッパ３を履いて非難する。
【考案の効果】
【０００６】本考案の護身用枕は、災害が発生して避難する際の最低限の防災頭巾、防寒具、スリッパが含まれており緊急避難用として最適である。これが就寝中、常に体の一部に触れていることで安心感が得られ、さらに枕に最適な素材で製作してあるので、見た目と使用感が一般の枕と変わらず、気持ちよく眠ることができる。
【図面の簡単な説明】
【０００７】
【図１】本考案の護身用枕を真上から見たファスナーを閉じた状態の平面図である。
【図２】本考案に収納される防寒具の平面図である。
【図３】本考案のファスナーを開けてＡ方向から見た状態を示す正面図である。
【符号の説明】
【０００８】  １  防災頭巾
２  防寒具
３  スリッパ
４−１、４−１’、４−２、４−２’、４−３、４−３’  ひも
５  ポケット
６  ファスナー
７  スライダー
８  足入れ口
９  端末
１０  防災頭巾短側面
１１  防災頭巾長側面
【図１】
0003112678.tif 000003
【図２】
0003112678.tif 000004
【図３】
0003112678.tif 000005
(57)【要約】      （修正有）【課題】円錐はそれと同じ底面と高さをもつ円柱の体積の１／３であるが、それを手軽な方法で確かめることが出来る数学の視覚的教材を提供する。【解決手段】手頃な大きさのプラスチック製円柱の容器の２／３の高さまで水をいれ，同じ底面・高さをもつ円錐を円柱の蓋にはりつけたものを静かに入れる。蓋をしたとき．隙間もなく，水もこぼれないことで，円錐の体積は円柱の体積の１／３であることが分かる。また，円錐の中にビーズを封入しているので目で理解しやすく，鑑賞用にもなる。【選択図】図３
0003112675.tif 000002
【実用新案登録請求の範囲】
【請求項１】
透明なプラスチックで作った蓋付き円柱と，その円柱と底面・高さが等しいプラスチック製円錐から成る数学の視覚的教材
【請求項２】
［請求項１］のプラスチック製円錐の中にさらにビ−ズを封入して円柱の蓋に固定した特徴をもつ，数学の視覚的教材
【請求項３】
［請求項１］のプラスチック円柱容器の高さの１／３，２／３のところに目盛りを有する視覚的教材
【請求項４】
円錐に詰めるビーズをクリスマスカラ−とし，鑑賞用にも使えるようにした視覚的教材
【考案の詳細な説明】
【技術分野】
【０００１】本考案はまず，蓋付きプラスチックの円柱をつくる。次に底面が蓋の底面と同じで高さが円柱の高さと同じ円錐をつくるために，その側面図を作ってくみたて，底面のない円錐をつくり，そこに微細ビーズを詰め込み円柱の蓋にはりつける。【０００２】円柱の容器の２／３の目盛りのところまで水を入れ，［０００１］の蓋付き円錐を静かに円柱の容器に入れる。  蓋をかぶせたとき，隙間もできず，水もこぼれなければ，円錐は円柱の体積の１／３である。
【背景分野】
【０００３】円錐は同じ底面と高さをもつ円柱の体積の１／３であることは小学校で学ぶ。  実験としては円錐をさかさにした底のない容器に水を入れ，円柱の容器に３杯入ることで説明しているがあまり身近に感じない。
【考案が解決しようとする課題】
【０００４】そこで本考案では手頃な大きさのプラスチック製円柱の容器の２／３の高さまで水をいれ，同じ底面・高さをもつ円錐を円柱の蓋にはりつけたものを静かに入れる。蓋をしたとき．隙間もなく，水もこぼれないことで，円錐の体積は円柱の体積の１／３であることが分かる。また，円錐の中にビーズを封入しているので目で理解しやすく，鑑賞用にもなる。
【図面の簡単な説明】
【０００５】
【図１】円柱の容器の２／３まで水を入れた図である。
【図２】円柱と同じ底面・高さをもつ円錐を円柱の蓋にはりつけたもの
【図３】［図２］の蓋付き円錐を［図１］の円柱の水入り容器に静かに入れ蓋をしたところ
【符号の説明】
【０００６】１          円柱のプラスチック容器
２          円柱のプラスチック容器の蓋
３          円錐のプラスチック容器（円柱と同じ底面・高さをもつ）
４          封入されている微細ビ−ズ
５          円柱の容器の２／３まで入れた水
【図１】
0003112675.tif 000003
【図２】
0003112675.tif 000004
【図３】
0003112675.tif 000005
(57)【要約】      （修正有）【課題】用便をする際に発する悪臭が、室内の空気を汚染させるのを防止し、従来の便器にも簡単に取り付け、交換することができる換気吸引口付き便器を提供する。【解決手段】便器自体１０が、用便Ａが発する悪臭Ｂを吸引できる吸引口１を設けて、悪臭Ｂを室外Ｃに換気する、換気吸引口付き便器１０によりこの課題を解決する。【選択図】図１
0003112671.tif 000002
【実用新案登録請求の範囲】
【請求項１】
便器に、換気装置を取り付けられる構造を備えた、換気吸引口付き便器。
【請求項２】
便器の一部である、便座の取り付け部分に、取り付け交換できる構造を備えた、換気吸引口付き便座。
【考案の詳細な説明】
【技術分野】
【０００１】本考案は、用便をする際に使用する、換気吸引口付き便器に関する。
【背景技術】
【０００２】従来の便器では、用便をする際に発する悪臭を室内上部にある換気扇などで換気するか、便座などに設けられる脱臭装置などを用いて脱臭していた。
【考案の開示】
【考案が解決しようとする課題】
【０００３】しかし、これでは室内の空気を汚染してしまい、極めて不衛生であり、用便の悪臭のために周りに対して気を使わなければならない場合がある。  脱臭装置についても、直接室外に換気するものではないので消臭に限界がある。
【課題を解決するための手段】
【０００４】そこで、便器自体が、用便が発する悪臭を吸引できる構造を設けて、悪臭を室外に換気する、換気吸引口付き付き便器を考案した。  この換気吸引口付き便器により、用便が発する悪臭が室内に散乱する前に室外へ換気されるため、室内の空気を汚染しないのである。
【考案の効果】
【０００５】よって、本考案の換気吸引口付き便器により、用便をする際に発する悪臭で、室内の空気を多量に汚染することはなくなる。  また、便座部分に吸引できる構造を設けることにより、従来の便器にも簡易に取り付け、交換することができる。
【考案を実施するための最良の形態】
【０００６】本考案に係わる、換気吸引口付き便器１０は、図１の示すように、用便が発する悪臭Ｂを吸引する吸引口１を備えている。  そしてこの吸引口１は、効率よく吸引が行えるように便器１０、便座２０の内側側面２に複数の吸引口１を設けて形成されている。換気装置３０は、便器１０、便座２０に内蔵するか、便器１０、便座２０の排気口３から室外の排気口４までの間５で設けることが望ましく、その取り付けをする位置は、建物６の構造に応じて決めればよい。素材は吸引口１を設けても強度的に問題がないものが望ましい。吸引口１の大きさは、汚れなどで目づまりしない程度の大きさで、吸引口１の形は吸引効率の良い形にする。
【図面の簡単な説明】
【０００７】
【図１】本考案に係わる換気吸引口付き便器の断面図である。
【図２】従来の便器の断面図である。
【符号の説明】
【０００８】１    吸引口
２    内側側面
３    便器、便座の排気口
４    室外の排気口
５    排気道
６    建物
Ａ    用便
Ｂ    悪臭
Ｃ    室外
１０  便器
２０  便座
３０  換気装置
【図１】
0003112671.tif 000003
【図２】
0003112671.tif 000004
(57)【要約】      （修正有）【課題】汗による蒸れの防止及び荷物がゴツゴツ当たるのを軽減するリュックの為の背当てパットの提供。【解決手段】自然素材の畳表１を使用し、アクリルテープ２で縫製し、ハトメ穴３ｂに平織りテープ５ｂを通しバックル４にてリュックに装着することで、汗による蒸れの防止し、荷物がゴツゴツ当たるのも併せて軽減し、快適に過ごすことができる。【選択図】図２
0003112649.tif 000002
【実用新案登録請求の範囲】
【請求項１】
畳表を使用し、周囲をアクリルテープにて補強、５箇所にハトメ穴を開け、それぞれの穴に平織りテープや平ゴムを通しその先端にバックルを取り付けることにより、リュックの背面に装着が自在となることを特徴とする、リュックの背当てパット。
【考案の詳細な説明】
【技術分野】
【０００１】    本考案は、畳表を使用し、着脱が自由自在な、リュックの為の背当てパットである。
【背景技術】
【０００２】    登山またはハイキングなど、リュック使用時、背中が蒸れ非常に暑くなる。また荷物が背中にゴツゴツ当たり痛い思いをしていた。
【考案の開示】
【考案が解決しようとする課題】
【０００３】    リュック使用時における背中が蒸れることで起こる不快感、及び多量の汗をかくことによる体力の消耗の軽減、中の荷物が背中にゴツゴツ当たる不快感を解決するものである。
【課題を解決するための手段】
【０００４】    本考案は、リュック本体に自然素材の畳表のパットを取り付けることで、通気性にも優れ、蒸れの解消にもなる。畳表がクッションの役わりをし、荷物がゴツゴツ当たるのを軽減し、５箇所のハトメ穴にそれぞれテープを通しバックルで着脱自在の為様々なリュックに取り付け可能となり、取り外して陰干しすることで常に爽やかに使用できることで問題を解決している。
【考案の効果】
【０００５】      上述の様に、本考案の畳表使用のリュックの為の背当てパッドは、呼吸する自然素材の畳表を使用しているので、蒸れの解消は著しく、リュックと背中の間に僅かな隙間ができることで通気性を増し、また、畳表を２枚あわせにすることで素材が持つ厚みと腰の強さが増強し、クッションの役割をすることで、リュックの中の荷物が直接背中に当たることを防ぎ、背中への負担の軽減にもなる。また、リュックの下部へパットを回しこむことで腰への当たりがソフトになりより快適に使用できる。
【考案を実施するための最良の形態】
【０００６】      リュックの為の背当てパットをリュックに取り付けるために、５箇所にハトメ穴を設け上部ハトメ穴に平織りテープ２本を通しその先端にそれぞれバックルを取り付けることで、リュックの肩紐２本に着脱自在とした。また、上部左右２箇所のハトメ穴にも平織りテープの先端にバックルを取り付け、下部のハトメ穴には平ゴムテープを取り付けその先端にもバックルを取り付け上部のバックルと下部のゴムテープに取り付けたバックルをリュックの前で交差させて、リュックを包み込むように取り付ける。
【実施例】
【０００７】      以下、添付図面に従って実施例を説明する。１は自然素材の畳表を２枚あわせにし、３のハトメ穴補強の為に７はテープを斜めに内部に入れ周囲は１度縫製後２のアクリルテープにて縫製し、仕上げている。３はハトメにて穴を開け３ａ３ｂは５の平織りテープを通し３ｃは６の平ゴムテープを通す。４は５ａ５ｂ、及び６の先端に取り付けたリュックに装着するための留め具のバックルである。【０００８】      図２は本体をリュックに装着した状態を背面から見ている。５ａはリュックの肩紐に引っ掛けて４ａのバックルにて装着。図３はリュックの前面から見ている。６の平ゴムテープは前面にて交差させて４ｂのバックルにて５ｂの先端に取り付けたバックルとで取り付ける。
【図面の簡単な説明】
【０００９】
【図１】本考案のリュックの為の背当てパットの図面である。
【図２】リュックに取り付けたところを背面から見たところ。
【図３】リュックに取り付けたところを前面から見たところ。
【符号の説明】
【００１０】  １  自然素材の畳表
２  アクリルテープ
３  ハトメ穴
４  バックル
５  平織りテープ
６  平ゴム
【図１】
0003112649.tif 000003
【図２】
0003112649.tif 000004
【図３】
0003112649.tif 000005
(57)【要約】      （修正有）【課題】従来のハンガーは、衣類吊り下げ時に衣類の首周りから梁部を通す際に、梁部が折りたたみ不能なため衣類を傷める恐れがあることと、収納時のコンパクトさに欠ける。【解決手段】本発明は梁部の折りたたみを可能にするため２本の梁部が重なる中心部にはりがねを入れる。携帯、収納できるようにコンパクトにするためにフックと梁部を別々にすることによってフックは内側に収められるようになり、梁部先端にはストッパーを付け梁部が開かないようにする。【選択図】図７
0003112650.tif 000002
【実用新案登録請求の範囲】
【請求項１】
ハンガーの梁中心部に針金を施すことによって、少しの力を加えると梁部が折りたためる仕組みになっており、洗濯物の首周りから自由に出し入れが可能とした構造を特徴とし、収納並びに不要時は、フック及び梁部の折りたたみ可能で閉じられた２本の梁は片方の梁先端部に備えられているストッパーによって固定する構造を特徴とするハンガー。
【考案の詳細な説明】
【技術分野】
【０００１】本発明は衣類吊り下げ時に、梁部の出し入れ及び、フックと梁部の折りたたみ等の便利さを必要とするハンガーに関する。
【背景技術】
【０００２】梁部の折りたたみは不能で、前開きにならない衣類は首周りまたは裾部からハンガーを通す。首周りからハンガーを通すと衣類を傷め、裾部から通すと面倒であることと、コンパクトさに欠けるため、持ち運び及び、収納時も不便である。
【考案の開示】
【考案が解決しようとする課題】
【０００３】梁部の折りたたみを可能とすることによって衣類の首周りを傷めることなく梁部を通すことができ、またコンパクトにすることで持ち運び及び、収納が便利なハンガーを提供する。
【課題を解決するための手段】
【０００４】本発明は梁部の折りたたみを可能にするため２本の梁部が重なる中心部に、円形に交差したはりがねを入れる。また、携帯、収納できるようにコンパクトにするためにフックと梁部を別々にすることによってフックは内側に収められるようになり、梁部先端にはストッパーを付け梁部が開かないようにする。
【考案の効果】
【０００５】本発明は２本の梁部が重なる中心部に、円形に交差したはりがねを取り付け、少し力を加えると内側に折りたためる仕組みにすることによって、衣類吊り下げ時にハンガーを面倒な裾部から通さなくて良いうえに、衣類を傷めることなく首周りから梁部を通すことを可能とした。また、フックと梁部を別々にしフックは内側に収められるようになり、梁部先端にはストッパーを付けることにより、梁部を折りたたんだ際に、梁部が開かないようにすることができコンパクトになるため、携帯、収納に便利とした。
【考案を実施するための最良の形態】
【０００６】２本の梁部が重なる中心部にはりがねを取り付けるが、外からの見栄えと安全を考え、はりがねが入るくぼみを梁部に作りそのくぼみにはりがねを取り付ける。フックは動くようにするため固定せずに梁部中心に取り付ける。ストッパーは携帯、収納時以外は梁部の裏側にくぼみを作りそのくぼみに収められるため邪魔にならないが、少し力を加えると円を描くように移動する。もう片方の梁部の表にある半円のくぼみにはめると開かないようになるため携帯、収納時はストッパーとして活用する。
【実施例】
【０００７】衣類洗濯時、衣類吊り下げ時などに利用する。折りたたんで携帯及び、収納したりする。
【図面の簡単な説明】
【０００８】
【図１】  ・フックを表、横（Ａ−Ａ視図）、（Ｂ−Ｂ視図）、裏（Ｃ−Ｃ視図）から見た図。
【図２】  ・２本の梁部が合わさった中心部に入れる円形に交差するはりがねを表、横（Ａ−Ａ視図）から見た図。
【図３】  ・梁部とはりがねをフックと固定するための丸止めを表、横（Ａ−Ａ視図）、裏（Ｂ−Ｂ視図）で表している。
【図４】  ・梁部を横、上（Ａ−Ａ視図）、下（Ｂ−Ｂ視図）で表している。
【図５】  ・片方の梁部先端の穴にはめ、梁部を閉じる際にストッパーとして使うもの。これを横から見た図、上（Ａ−Ａ視図）から見た図を表している。
【図６】  ・図４の梁部１本の先端の穴に図５のストッパーをはめこんだ平面図。
【図７】  ・図１〜図５を組み立てたときの上から見た図（Ａ−Ａ視図）、裏から見た図（Ｂ−Ｂ視図）を表している。
【図８】  ・図７の状態で、コンパクトになる時の図を表している。
【図９】  ・折りたたんだ時の図を表から、横（Ａ−Ａ視図）、（Ｂ−Ｂ視図）、裏（Ｃ−Ｃ視図）から見た図を表している。
【符号の説明】
１．    フック
２．    はりがね
３．    丸止め
４．    梁部
５．    ストッパー
【図１】
0003112650.tif 000003
【図２】
0003112650.tif 000004
【図３】
0003112650.tif 000005
【図４】
0003112650.tif 000006
【図５】
0003112650.tif 000007
【図６】
0003112650.tif 000008
【図７】
0003112650.tif 000009
【図８】
0003112650.tif 000010
【図９】
0003112650.tif 000011
(57)【要約】      （修正有）【課題】両手が自由に使え、後頭部を見ることの出来る三面鏡の提供。【解決手段】三面鏡は本体８を中央の大きな穴７に頭を入れて肩の上に乗せ、本体８を安定させるべく補助バー１０下端を腹部に当て固定する。これによって両手が自由に使え後頭部への白髪染め等の作業が容易になる。又、この三面鏡は正面鏡１及び後面鏡２、３の３枚の鏡全てが各連結部分５で自由に角度調節が可能な為、後頭部は元より側頭部及び頭の上部まで見ることが可能である。【選択図】図１
0003112617.tif 000002
【実用新案登録請求の範囲】
【請求項１】
角度が調節可能な正面鏡（１）と、同じく角度が調節可能な後面鏡（２）（３）の計３枚の鏡を有する器具を身体に装着し、後頭部及び側頭部などの見えにくい箇所を見ることの出来る一体型の三面鏡。
【請求項２】
正面鏡（１）と後面鏡（２）（３）を中央側に折畳むことによりコンパクトに収納できる。
【考案の詳細な説明】
【技術分野】
【０００１】本考案は、本体（８）後部に設置された２枚の後面鏡（２）（３）と前面の１枚の正面鏡（１）にてその間にある自分の後頭部及び側頭部を見ることが出来る三面鏡。また、コンパクトに折畳める為、収納や持ち運びにも優れている。
【背景技術】
【０００２】既に後頭部を見る三面鏡や肩に背負うタイプの二面鏡は登録されているが、二面鏡又は三面鏡は後部に配置して、前面の鏡は既設の鏡や手鏡などを使用する。（例えば特許文献１及び実新文献１参照）又、白髪染め等は時に長時間を要する事も考えられるため、なるべく楽な条件で作業が出来ることが望ましい。
【特許文献１】特開２００３−１８０４５１（第５−６項  第１図）
【実新文献１】
実開平０７−１２７０４（第１図−第３図）
【考案の開示】
【考案が解決しようとする課題】
【０００３】従来の二面鏡又は三面鏡は片手に手鏡を持って後頭部を見る場合には片手が自由に使えなくなり、既設の壁掛けタイプの鏡や置き鏡を使用する場合には、その場からの移動が自由に出来なくなる。移動が自由に出来る肩に背負うタイプのものでも前面の鏡は既設の鏡や手鏡などを別途用意する必要があり、結果として片手が自由に使えなくなってしまうか使用できる場所が制限されてしまう。【０００４】二面鏡又は三面鏡は普通の鏡と比べて使用頻度が低く、使用しないときには収納しておくものだが複数枚の鏡を使用している為、特殊な形状をしている事が多くかさばってしまい収納に不便である。
この考案は上記の色々な欠点を解決する事を目的として開発したものである。
【課題を解決するための手段】
【０００５】考案の後頭部を見ることが出来る三面鏡は前に述べた課題を解決するために下記の構成を備えている。この三面鏡は図４のように中央の穴（７）に頭を入れ、本体（８）を肩に乗せて使用できる為両手を自由に使うことが出来る。前面にも正面鏡（１）を備えているので手鏡や既設の鏡を必要としない為、作業をする場所を選ばず移動も思いのままだ。【０００６】また、図２、図３のように後部の後面鏡（２）（３）を可動部（５）により内側に折畳む事が出来る上、更に固定板（９）下の連結部（６）より中央に向かって折畳める。前面の鏡も同様に支柱（４）下の連結部（６）から中央に向かって折畳むことが出来き、非常に薄くなるため収納にも便利である。
【考案の効果】
【０００７】この三面鏡は本体（８）を中央の大きな穴（７）に頭を入れて肩の上に乗せ、本体（８）を安定させるべく補助バー（１０）下端を腹部に当て固定する。これによって両手が自由に使え後頭部への白髪染め等の作業が容易になる。又、この三面鏡は図２のように正面鏡（１）及び後面鏡（２）（３）の３枚の鏡全てが各連結部分（５）で自由に角度調節が可能な為、後頭部は元より側頭部及び頭の上部まで見ることが可能である。【０００８】図３のように前面鏡（１）、後面鏡（２）（３）を内側に折畳むことにより非常に薄くなり収納にも便利で、梱包の際にも梱包材などのコストが少なくて済む。
【考案を実施するための最良の形態】
【０００９】先述の通り、本体（８）を中央の大きな穴（７）から頭を入れて肩の上に乗せ、本体（８）を安定させるべく補助バー（１０）下端を腹部に当て固定する。白髪染めや整髪時等に見えにくかった後頭部及び側頭部を正面鏡（１）と後面鏡（２）（３）の角度を調節して後面鏡（２）（３）に映した後頭部及び側頭部を正面鏡（１）で確認しながら容易に作業が出来る。
【実施例】
【００１０】以下に示す実施例は図面を元に説明するが、本考案は正面鏡（１）と後面鏡（２）（３）を備えた器具を身体に装着し後頭部及び側頭部を見ることの出来る三面鏡が請求の範囲であり、構造や具材などはこれに特定しない。【００１１】正面鏡（１）の位置が後面鏡（２）（３）の位置よりも約２５０ｍｍ高く配置して角度を約２０度下向きにし、逆に後面鏡（２）（３）は固定板の連結部（６）の所から約２０度上向きに調節して使用する。このように正面鏡と後面鏡に２０度の角度持たせることにより白髪染め等の作業の際に手が死角にならずによく見えるようになっている。そして作業をする場所を限定しないので、例えば屋外でも作業をすることが出来る。
【図面の簡単な説明】
【００１１】
【図１】後頭部を見ることの出来る三面鏡の斜視図
【図２】可動部の箇所を示す斜視図
【図３】折畳み後の状態を示す斜視図
【図４】装着をした時の状態を示す斜視図
【符号の説明】
【００１２】１  前面鏡
２  後面鏡（右）
３  後面鏡（左）
４  支柱
５  鏡連結部
６  固定板連結部
７  中央部の穴
８  本体
９  固定板
１０  補助バー
【図１】
0003112617.tif 000003
【図２】
0003112617.tif 000004
【図３】
0003112617.tif 000005
【図４】
0003112617.tif 000006
【手続補正書】
【提出日】平成17年4月14日(2005.4.14)
【手続補正１】
【補正対象書類名】実用新案登録請求の範囲
【補正対象項目名】全文
【補正方法】変更
【補正の内容】
【実用新案登録請求の範囲】
【請求項１】
角度が調節可能な正面鏡（１）と、同じく角度が調節可能な後面鏡（２）（３）の計３枚の鏡を有する器具を身体に装着し、後頭部及び側頭部などの見えにくい箇所を見ることの出来る一体型の三面鏡。
【請求項２】
正面鏡（１）と後面鏡（２）（３）を中央側に折畳むことによりコンパクトに収納できる請求項１記載の一体型の三面鏡。